(57)【特許請求の範囲】
【請求項１】
左右一対の乳房カップと、これら左右の乳房カップを胸側において連結する前連結部と、左右の前記乳房カップを背側において連結する後連結部とから成る乳房カップを有する衣類であって、
前記後連結部が伸縮性素材から形成され、かつ、前記後連結部において装着時に人体の前脇の下方部分に当る部位に非伸縮性素材による保形布部材が装備されており、前記保形布部材は、人体への装着状態における前脇点と大転子点とを結ぶラインを中心又はほぼ中心として３０〜８０ｍｍの幅を有する状態で配設されている乳房カップを有する衣類。
【請求項２】
左右一対の乳房カップと、これら左右の乳房カップを胸側において連結する前連結部と、左右の前記乳房カップを背側において連結する後連結部とから成る乳房カップを有する衣類であって、
前記後連結部が伸縮性素材から形成され、かつ、前記後連結部において装着時に人体の前脇の下方部分に当る部位が前記伸縮性素材の樹脂加工またはパワー切替により非伸縮性部となり、前記非伸縮性部が、人体への装着状態における前脇点と大転子点とを結ぶラインを中心又はほぼ中心として３０〜８０ｍｍの幅を有する状態で配設されている乳房カップを有する衣類。
【請求項３】
前記後連結部が表地と裏地とから形成され、これら表地と裏地との間に前記保形布部材が収容されている請求項１に記載の乳房カップを有する衣類。
【請求項４】
前記保形布部材が前記表地のみに縫合によって連結されている請求項３に記載の乳房カップを有する衣類。
【請求項５】
前記保形布部材の前端部又は後端部に、上下方向に延びるボーンが一体的に装備されている請求項１、３、４のいずれか一項に記載の乳房カップを有する衣類。
【請求項６】
前記保形布部材を構成する非伸縮性素材がウレタン、不織布、編物、織物である請求項１、３〜５のいずれか一項に記載の乳房カップを有する衣類。
【請求項７】
前又は後の前記連結部に係脱自在なホックが装備されるとともに、前記乳房カップの上部と、前記後連結部における背中側部分とに架設される左右一対の肩紐が装備されている請求項１〜６のいずれか一項に記載の乳房カップを有する衣類。
【請求項８】
前記前連結部が伸縮性素材からなり、前期後連結部が、順に、前記前連結部と装着時に人体の前脇の下方部分に当る部位の間が伸縮性素材、装着時に人体の前脇の下方部分に当る部位が非伸縮性素材、装着時に人体の前脇の下方部分に当る部位と取付布部の間が伸縮性素材からなる請求項１〜７のいずれか一項に記載の乳房カップを有する衣類。
【発明の詳細な説明】
【技術分野】
【０００１】
本発明は、ブラジャー、ブラスリップ等の乳房カップを有する衣類に関するものである。
【背景技術】
【０００２】
乳房カップを有する衣類としては、例えばブラジャー、ロングラインブラジャー、ビスチエ、ボディスーツ、スリーインワン、ブラテディ、ブラキャミソール、或いはブラスリップ等の乳房カップを有するファンデーション類、水着等があり、着用者の乳房に当てがわれる膨らみのある乳房カップを有している。これらの乳房カップを有する衣類は、女性用の被服として広く普及している。
【０００３】
乳房カップを有する衣類の代表例であるブラジャーは、一般的にはバストの形状を整えて美しいプロポーションを創るべく、乳房カップは肌触りの良いソフトな内側素材と、保形性を有する外側素材から成るものが多い。また、左右の乳房カップを背側を通して連結する後連結部は、人体を適度な緊張力で巻付けてしっかりと装着するため、及びブラジャー装着時における動き易さを得るために伸縮性素材を用いて構成されたものが多い。このように、後連結部等が伸縮性素材から形成されたものの例としては、特許文献１において開示されたものが知られている。
【特許文献１】特開２００２−２９４５０３号公報
【発明の開示】
【発明が解決しようとする課題】
【０００４】
従来のブラジャーは体を捩るとか腕を上下や前後に動かす、或いはそれに伴って乳房が変動する等の上半身の動きに追従し易く、良好なフィット感を得ることができる利点がある。しかしながら、その反面として、ブラジャーにおける追従しなくて良い部分が体の動きに追従してしまい、体を元の状態に戻してもブラジャーは元の装着状態に戻りきれず、位置ズレしてしまう不都合の生じることがあった。例えば、カップ上辺部のズレ、カップ下辺部のズレ、バック部のズレという状況が挙げられる。
【０００５】
このように、後連結部が伸縮性素材で構成されたものでは、体の動き、とくに上半身の動きにフィットし易い点は良いが、体の動きによっては乳房カップ等の各部が依然として位置ズレする等の着崩れのおそれが残っているとともに、装着感が芳しくないとか、手指で引張って位置を修正する動作が必要になるといった不利もあり、改善の余地が残されているものであった。
【０００６】
本発明の目的は、乳房カップを有する衣類において、左右の乳房カップを背側において連結する後連結部を、体の動きに対する良好な追従性を得るべく伸縮性素材で形成する構造を踏襲しながらも、場合によっては余計な追従移動が為されるとか、それによって元の装着状態に復帰し難いといった動き過ぎを抑制し、乳房の支持状態や装着感をさらに向上させる点にある。
【課題を解決するための手段】
【０００７】
請求項１の構成は、左右一対の乳房カップと、これら左右の乳房カップを胸側において連結する前連結部と、左右の前記乳房カップを背側において連結する後連結部とから成る乳房カップを有する衣類において、
前記後連結部が伸縮性素材から形成され、かつ、前記後連結部における装着時に人体の前脇の下方部分に当る部位に非伸縮性素材による保形布部材が装備されており、前記保形布部材は、マルチン計測法で規定されている人体への装着状態における前脇点と大転子点とを結ぶラインを中心又はほぼ中心として３０〜８０ｍｍの幅を有する状態で配設されていることを特徴とする。
【０００８】
請求項２の構成は左右一対の乳房カップと、これら左右の乳房カップを胸側において連結する前連結部と、左右の前記乳房カップを背側において連結する後連結部とから成る乳房カップを有する衣類において、
前記後連結部が伸縮性素材から形成され、かつ、前記後連結部において装着時に人体の前脇の下方部分に当る部位が前記伸縮性素材の樹脂加工またはパワー切替により非伸縮性部となり、前記非伸縮性部が、人体への装着状態における前脇点と大転子点とを結ぶラインを中心又はほぼ中心として３０〜８０ｍｍの幅を有する状態で配設されていることを特徴とする。
【０００９】
請求項３の構成は、請求項１に記載の乳房カップを有する衣類において、前記後連結部が表地と裏地とから形成され、これら表地と裏地との間に前記保形布部材が収容されていることを特徴とする。
【００１０】
請求項４の構成は、請求項３に記載の乳房カップを有する衣類において、前記保形布部材が前記表地のみに縫合によって連結されていることを特徴とする。
【００１１】
請求項５の構成は、請求項１、３、４のいずれか一項に記載の乳房カップを有する衣類において、前記保形布部材の前端部又は後端部に、上下方向に延びるボーンが一体的に装備されていることを特徴とする。
【００１２】
請求項６の構成は、請求項１、３〜５のいずれか一項に記載の乳房カップを有する衣類において、前記保形布部材を構成する非伸縮性素材がウレタン、不織布、編物、織物であることを特徴とする。
【００１３】
請求項７の構成は、請求項１〜６のいずれか一項に記載の乳房カップを有する衣類において、前又は後の前記連結部に系脱自在なホックが装備されるとともに、前記乳房カップの上部と、前記後連結部における背中側部分とに架設される左右一対の肩紐が装備されていることを特徴とする。
【００１４】
請求項８の構成は、請求項１〜７のいずれか一項に記載の乳房カップを有する衣類において、前記前連結部が伸縮性素材からなり、前期後連結部が、順に、前記前連結部と装着時に人体の前脇の下方部分に当る部位の間が伸縮性素材、装着時に人体の前脇の下方部分に当る部位が非伸縮性素材、装着時に人体の前脇の下方部分に当る部位と取付布部の間が伸縮性素材からなることを特徴とする。
【発明の効果】
【００１５】
請求項１の構成によれば、詳しくは実施例において説明するが、後連結部における前脇点と大転子とを結ぶラインにおける前脇の下方部分は、上半身が種々の動作を行った時に縦方向にのみ皮膚が伸展する。この認識に基づいて、前記後連結部における装着時に人体の前脇の下方部分に当る部位に、非伸縮性素材で成る保形布部材を固定することにより、縦方向の皮膚伸展時も前記後連結部が人体に密着して動き、人体の動きに追随することが可能となる。これは、前記後連結部において前期保形布部材が、非伸縮性素材で成るのに対し、その前後の部位は伸縮性素材により成るため、前期保形布部材が縦方向の皮膚伸展に密着した状態で追随する一方、前期保形布部材を支点としブラジャーが人体全体の動きに対して柔軟に動くことが可能となり、ブラジャーがずれるのを防ぐことができる。また、前脇点と大転子点とを結ぶラインは、人体構造上で個人差が殆ど生じないものであるので、上述のような機能を有する乳房カップを有する衣類を、装着者の年齢や体型を不問として共通に着用することが可能である。
【００１６】
その結果、請求項８の構成により左右の乳房カップを背側において連結する後連結部を、体の動きに対する良好な追従性を得るべく伸縮性素材で形成する構造を踏襲しながらも、場合によっては余計な追従移動が為されるとか、それによって元の装着状態に復帰し難いといった動き過ぎを抑制し、乳房の支持状態や装着感のさらなる向上が可能な乳房カップを有する衣類を提供することができる。また、請求項７のように、後又は前のホックと左右一対の肩紐とを設けて、ブラジャー等の衣類に好適なものにできるとともに、請求項６のように、非伸縮性素材を、入手し易く廉価なウレタン製として、乳房カップを有する衣類を、上述の効果を発揮する優れたものとしながらも経済的に構成することが可能である。
【００１７】
請求項３の構成によれば、後連結部を形成する表地と裏地との間に保形布部材が収容されるので、皮膚（肌）には伸縮性素材が接触し、保形布部材は接触しないので、良好な肌触りを維持することができる。また、表及び裏地の重ね構造により、後連結部を強度十分なものとすることができる。
【００１８】
請求項４の構成によれば、保形布部材が表地のみに縫合されて連結されるので、後連結部と保形布部材とを強固に連結できて保形布部材による衣類の安定支持機能（上述）が如何無く発揮できるとともに、保形布部材の縫合箇所が裏地には存在しないので、良好な肌触りを維持することができる利点がある。
【００１９】
請求項５の構成によれば、保形布部材の前端部又は後端部が上下に延びる形状のボーンによって補強されるので、後連結部における装着時に人体の前脇の下方部分に当る部位の強度や保形性がさらに向上し、乳房カップによる乳房の支持状態をより安定化させることが可能になるとともに、上下方向の補強によって装着感の向上も期待できるものとなる。
【００２０】
請求項２の構成によれば、後連結部が伸縮性素材から形成され、かつ、後連結部において装着時に人体の前脇の下方部分に当る部位が伸縮性素材の樹脂加工または、パワー切替により非伸縮性部となり、非伸縮性部は、人体への装着状態における前脇点と大転子点とを結ぶラインを中心又はほぼ中心として所定の幅を有する状態で配設されているので、別体の保形布部材を縫合することなく後連結部の必要な箇所に非伸縮性部を用いることができ、装着時のより良好な肌触りを維持することができる利点がある。
【発明を実施するための最良の形態】
【００２１】
以下に、本発明による乳房カップを有する衣類を、その一例であるブラジャーの場合について、図面を参照して説明する。図１はブラジャーの左側部分の展開正面図、図２，３は夫々バック部における装着時に人体の前脇の下方部分に当る部位の縦断面図と横面図、図４は女性人体とブラジャーとの関係を示す側面図、図５は腕の上げ下げ時における皮膚の変化を示す上半身の（ａ）正面図、（ｂ）側面図、（ｃ）背面図である。
【実施例１】
【００２２】
ブラジャーＡは、図１に示すように、概略、左右一対のカップ部（乳房カップ）１と、支持部２と、左右一対の肩ストラップ（肩紐の一例）３と、支持部２の背中に取付けられた係脱自在のホック６とから構成されている。支持部２は、左右のカップ部１を、その下方部位において連結一体化する前中心布部（前連結部の一例）４と、これらカップ部１と前中心布部４とを背側において連結するバック部（後連結部の一例）５とから構成される。
【００２３】
カップ部１は、上（外）カップ布と下（内）カップ布を含み、これらを接ぎ線で縫着することによりカップ形状に立体成型される。左右のカップ部１を胸側において連結する前中心布部４は、前中心Ｐを中心として左右のカップ部１の下方で外側部位どうしに渡る範囲の部分として形成されており、着用者のバスト下部にフィットするように凹型に湾曲した上縁湾曲部４ａを有し、このアンダー部分４ａの上縁湾曲部がカップ部１の下縁湾曲部に縫着されている。
【００２４】
バック部５は、ホック６を構成するループ状の係合金具６ａが縫着された取付布部１１を先端に有する右バック部５Ｒと、係合金具６ａに係脱自在な鉤状金具６ｂが縫着された取付布部１１を先端に有する左バック部５Ｌとから構成される。各バック部５Ｒ，５Ｌは、共に伸縮性素材（例：パワーネット、ツーウエイラッセル、ツーウエイトリコット）を下部で折り返して上部で縫合連結することにより、表地７と裏地８とを有する重ね構造のものに形成されている。
【００２５】
保形布部材９は、非伸縮素材であるウレタン（ポリウレタン）から成るシート状のものであり、図１〜図４に示すように、右及び左各バック部５Ｒ，５Ｌにおける装着時に人体の前脇の下方部分に当る部位において、表地７と裏地８との間に収容される状態で装備されている。保形布部材９の下端は、各バック部５Ｒ，５Ｌの下端に位置されており、その上端は各バック部５Ｒ，５Ｌの上端からやや下方に離して位置されている。また、保形布部材９の前端には、その前端に位置合わせされる状態で上下に延びるボーン１０が配備されており、図３に示すように、ボーン１０の前端部に位置する第１縫合箇所ａにおいて、表地７と、保形布部材９と、これの裏地側に配置されるボーン１０との三者が一体的に縫合連結されている。
【００２６】
表地７の上端部は、裏地８上端のさらに内側（人体側）に折り返され、その折返し部７ａの下端部が、図２に示すように、バック部５に内装される保形布部材９と共に裏地８及び表地７と、即ち計四者が第２縫合部ｂにおいて一体的に縫合連結されている。また、保形布部材９の下端部は、ボーン１０の下端部と共に表地７の下端部に縫合箇所ｃで一体的に縫合連結され、保形布部材９の上端部は、表地７の上端部と縫合箇所ｄで一体的に縫合連結されている。さらに、保形布部材９の後端部は、図３に示すように、表地７と縫合箇所ｅで一体的に縫合連結されている。
【００２７】
保形布部材９のバック部５に対する位置、及びその幅寸法は以下のように設定されている。即ち、図１、図４に示すように、保形布部材９は、人体への装着状態における前脇点ｍと大転子点ｎとを結ぶラインＸを中心又はほぼ中心として所定の幅（例：３０〜８０ｍｍ、好ましくは５０〜６０ｍｍ）を有する状態で左右のバック部５Ｌ，５Ｒに配設されている。バック部５におけるラインＸ部位は、装着者の上半身が種々の動作を行っても水平方向には殆ど動かず、水平に移動しても水平線上をごくわずかにしか移動しない、いわば固定点部分であり、その固定部分に非伸縮素材で成る保形布部材９を装備することにより、装着者の動きにブラジャーＡがフィットして位置ずれしないようになる。
【００２８】
図４には、ブラジャーＡが装着された女性人体の概略の側面図が示されており、ｍは腕の付け根における前端、即ちマルチン計測法で規定されている前脇点であり、ｎは大腿骨の付け根（腰骨と足の骨が繋がる辺りの骨であり、股関節の、大腿骨の外側の出っ張り）、即ち同じくマルチン計測法で規定されている大転子点である。これら前脇点ｍと大転子点ｎとを結ぶラインＸとウエストラインＵとの交点がウエスト側点ｒである。ラインＸの上部、即ち、前脇点ｍとウエスト側点ｒとを結ぶラインを胸部側線Ｘａと呼び、これは、前脇点ｍとウエスト側点ｒとを通る平面と体表面とが交わる線として定義される。
【００２９】
ラインＸの下部、即ち、ウエスト側点ｒと大転子点ｎとを結ぶラインを腰部側線Ｘｂと呼び、これは、ウエスト側点ｒと大転子点ｎと通る前頭面と体表面とが交わる線として定義される。前頭面とは、正中面に対して直角に交わる垂直面（前額面）のことであり、その方向を前頭という。正中とは、人体の真ん中を垂直に走る垂線の方向のことであり、この線を含む垂直面を正中面という。また、正中面と体表面とが交わる線を正中線と言う。
【００３０】
背伸び動作による体幹の皮膚の変化を図５〜図７（前脇点と大転子点とを結ぶラインの皮膚伸縮実験）に示す。これらの図から分かるように、縦方向の延びが大きく、特に側面・脇部の伸びが大きい。後の正中付近にはあまり変化がない。図５（ａ）と図５（ａ’）との比較からは、正中から側面にかけて徐々に伸びが確認される。図５（ｂ）と図５（ｂ’）との比較からは、側面には大きな縦方向の伸びが確認.される。図５（ｃ）と図５（ｃ’）との比較からは、正中付近の伸びは見られない。このような実験からも、前述したように、前脇点ｍと大転子点ｎとを結ぶラインＸは、縦方向のみに延びることが理解できる。
【００３１】
次に、参考として、肩関節運動の体型の変化についての通説について述べる。肩関節運動の体型への影響は、安静直立の姿勢のときが、床から肩峰点までの高さの最も低いときで、それ以外の胸を張る動作、即ち肩甲骨の前屈までは約３０ｍｍ、また胸を窄める動作、肩甲骨の後屈では、約１２ｍｍも肩峰点の位置が高くなり、また頚をすくめる動作では、肩幅が約８０ｍｍほど狭くなると同時に肩峰点の位置も約５０ｍｍほど上がることである。運動による皮膚（体表）の変化には大きく分けて二つの変化があり、一つは皮膚自身の伸縮状態であり、もう一つは皮膚が下層との間に起こるずれ（偏位）である。肩関節の運動による変化は、上肢帯のみの運動と、上腕の挙上運動では、その影響を受ける範囲は様式には明らかな差がある。つまり、乳房下部と体側部が局限的に影響を受けている。
【００３２】
いま、この部位における皮膚（外皮）の運動に対して現れる適応現象を観察した結果を見ると、まず両上肢を同時に約１７０度前から上に挙げたときに現れる体幹の皮膚の変化では、乳房から腸骨稜付近までの間に皮膚の伸展がみられる。特に、乳頭線と体側線上の皮膚に大きな伸展が見られることが分かる。ここで、運動による皮膚の変化を観察する方法について簡単に触れる。
【００３３】
その観察方法には、１．錯覚の応用、２．体表に用紙を貼り、これを平面に展開して静立時と運動時の変化を観察する転写法、及び３．被験者の体表に水平、垂直方向の線を基盤にひいて、体幹の運動によって皮膚の変化を観察する、という三種の方法がある。ここで前記３．の方法について概略説明する。体表に入れる基準線は、まず頚椎点を通る水平方向の線を引き、これを基線として、３０ｍｍ間隔の横線を全身に亘って描き、これを上から下へ横線ａ，ｂ，ｃ…と名づける。この際、横線ｂは胸骨上点（ｓｓｔ）、ｅが後脇窩の付根、ｇが乳頭点、ｒが恥骨結合点を通ることが多い。また隣接する二つの横線の間の水平帯部Ｚｏｎｅを上から１，２，３…の番号を付ける。
【００３４】
縦線は、前後の正中線、左右の乳頭を通る前側線、脇窩の中心を通る体側線、及び肩甲骨の下縁を通る後側線の五線を基準線としてある。尚、乳房は皮膚の一部が特に厚くなったところで、乳腺は汗腺の変化したものと考えられているほどであるから、肩関節の運動によって大きく変化することが分かっている。
〔別実施例〕
【００３５】
保形布部材９の幅は、衣類のサイズや形状等の種々の要素に伴って変更できるとともに、
その上下方向の長さも、図２に示すように、後連結部５の上下幅一杯のものの他、若干短いものや半分くらいのもの等、この縦長さも衣類の形状、サイズ、種類等の要素に応じて変更設定される。
【００３６】
また、保形布部材９を、表地７と裏地８との間に収容される状態で装備するのではなく、伸縮性素材からなるバック部（後連結部の一例）５の保形布部材９に該当する部分（後連結部において装着時に人体の前脇の下方部分に当る部位）を樹脂加工を行い非伸縮性部とし、前記実施例１と同等の機能を持つようにしても良い。
【００３７】
さらに、保形布部材９を、表地７と裏地８との間に収容される状態で装備するのではなく、伸縮性素材からなるバック部（後連結部の一例）５の保形布部材９に該当する部分（後連結部において装着時に人体の前脇の下方部分に当る部位）を、糸の太さや、編み方を変えるパワー切替により非伸縮性部とし、前記実施例１と同等の機能を持つようにしても良い。
【００３８】
以上述べたように、本発明によるブラジャーＡにおいては、バック部５における前脇点ｍと大転子点ｎとを結ぶラインＸを中心とする所定幅の非伸縮性素材を用いており、保形布部材９または保形布部材９に該当する部分が、非伸縮性素材で成るのに対し、その前後の部位は伸縮性素材１２で成るため、非伸縮性素材が縦方向の皮膚伸展に密着した状態で追随する一方、非伸縮性素材を支点としブラジャーＡが人体全体の動きに対して柔軟に動くことが可能となり、腕上下時にも体の移動と共にブラジャーＡも固定され、ずれないとともに、皮膚伸展の移動と共に非伸縮面部も動くので、着崩れが無く良好な装着感が維持できる。ブラジャーに対する前脇点ｍと大転子点ｎとを結ぶラインＸの位置は、実態構造上で差が生じにくいものであって、着用者が異なっても差はでないため、体型や年齢等が不問として使用できる汎用性に優れる利点がある。
【図面の簡単な説明】
【００３９】
【図１】ブラジャーの展開した状態での正面図である。
【図２】人体への装着状態におけるブラジャーの側面図である。
【図３】装着時に人体の前脇の下方部分に当る部位の断面図である。
【図４】女性人体を示す概略の側面図である。
【図５】（ａ）は通常姿勢で（ａ’）は腕を上げた姿勢での夫々の胸部を示す正面図であり、（ｂ）は通常姿勢で（ｂ’）は腕を上げた姿勢での夫々の胸部を示す側面図であり、（ｃ）は通常姿勢で（ｃ’）は腕を上げた姿勢での夫々の胸部を示す背面図せある。
【符号の説明】
【００４０】
１            乳房カップ
３            肩紐
４            前連結部
５            後連結部
６            ホック
７            表地
８            裏地
９            保形布部材
１０          ボーン
１１          取付布部
１２          伸縮性素材部
ｍ            前脇点
ｎ            大転子点
Ａ            ブラジャー
【図１】
0004608231.tif 000002
【図２】
0004608231.tif 000003
【図３】
0004608231.tif 000004
【図４】
0004608231.tif 000005
【図５】
0004608231.tif 000006